【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
ビデオデータフレームのシーケンスにおいてオクルージョンデータを処理するための方法であって、
前記オクルージョンデータに関するフォーマットを特定するステップであって、前記フォーマットは、スパースオクルージョンデータフォーマットおよびフィルドオクルージョンデータフォーマットのうちの１つから選択されるステップと、
前記オクルージョンデータに関する前記フォーマットが、前記フィルドオクルージョンデータフォーマットであると特定された場合に、エンコーディングの前に前記オクルージョンデータをスパースオクルージョンデータフォーマットへと変換するステップと、
前記オクルージョンデータをエンコーディングするステップであって、該エンコーディングされたオクルージョンデータを作成する、前記エンコーディングするステップと、
前記エンコーディングされたオクルージョンデータを、前記オクルージョンデータに関して特定された前記フォーマットを表すインジケータとともに出力するステップと、
を含む、前記方法。
【請求項２】
前記変換するステップは、
前記オクルージョンデータ内に含まれているそれぞれの非オクルージョンエリア内のそれぞれのサンプルを、定義された特徴を用いて表すステップをさらに含む、請求項１に記載の方法。
【請求項３】
前記変換するステップは、前記表すステップの前に、前記オクルージョンデータに関して少なくとも１つのオクルージョンエリアおよび少なくとも１つの非オクルージョンエリアを識別するステップをさらに含み、前記少なくとも１つのオクルージョンエリアは、前記少なくとも１つの非オクルージョンエリアと相互に排他的である、請求項２に記載の方法。
【請求項４】
前記識別するステップは、
少なくとも奥行きデータに応答して、前記オクルージョンデータに関連付けられている前記ビデオデータフレーム内の１つまたは複数の奥行きの切れ目を検知するステップであって、前記奥行きデータは、前記オクルージョンデータに関連付けられている前記ビデオデータフレーム内に含まれているステップと、
前記１つまたは複数の奥行きの切れ目に沿ったそれぞれのエリアを前記オクルージョンデータ内の非オクルージョンエリアとして分類するステップと、
をさらに含む、請求項２に記載の方法。
【請求項５】
前記定義された特徴は、定義された色を含む、請求項２に記載の方法。
【請求項６】
前記定義された特徴は、定義された奥行き値を含む、請求項２に記載の方法。
【請求項７】
前記オクルージョンデータは、オクルージョンビデオデータおよびオクルージョン奥行きデータのうちの１つを含む、請求項２に記載の方法。
【請求項８】
前記エンコーディングするステップは、Ｈ．２６４／ＡＶＣ、ＭＶＣ、およびＭＰＥＧ−２のうちの１つを含むビデオコーディング標準に従って実行される、請求項２に記載の方法。
【請求項９】
前記エンコーディングするステップは、Ｈ．２６４／ＡＶＣ、ＭＶＣ、およびＭＰＥＧ−２のうちの１つを含むビデオコーディング標準に従って実行される、請求項１に記載の方法。
【請求項１０】
前記オクルージョンデータに関して特定された前記フォーマットを表す前記インジケータは、スライスヘッダ、シーケンスパラメータセット、ピクチャーパラメータセット、ビューパラメータセット、ネットワーク抽象化レイヤユニットヘッダ、および付加拡張情報メッセージのうちの少なくとも１つの中に含まれている、請求項１に記載の方法。
【請求項１１】
前記オクルージョンデータは、オクルージョンビデオデータおよびオクルージョン奥行きデータのうちの１つを含む、請求項１に記載の方法。
【請求項１２】
ビデオデータフレームのシーケンスにおいてオクルージョンデータを処理するための装置であって、
前記オクルージョンデータに関するフォーマットを特定するステップであって、前記フォーマットは、スパースオクルージョンデータフォーマットおよびフィルドオクルージョンデータフォーマットのうちの１つから選択される、前記特定するステップと、
前記オクルージョンデータに関する前記フォーマットが、前記フィルドオクルージョンデータフォーマットであると特定された場合に、エンコーディングの前に前記オクルージョンデータをスパースオクルージョンデータフォーマットへと変換するステップと、
前記オクルージョンデータをエンコーディングするステップであって、該エンコーディングされたオクルージョンデータを作成する、前記エンコーディングするステップと、
前記エンコーディングされたオクルージョンデータを、前記オクルージョンデータに関して特定された前記フォーマットを表すインジケータとともに出力するステップと、
を行うためのエンコーダを含む、前記装置。
【請求項１３】
前記変換するステップは、前記オクルージョンデータ内に含まれているそれぞれの非オクルージョンエリア内のそれぞれのサンプルを、定義された特徴を用いて表すステップをさらに含む、請求項１２に記載の装置。
【請求項１４】
前記変換するステップは、前記表すステップの前に、前記オクルージョンデータに関して少なくとも１つのオクルージョンエリアおよび少なくとも１つの非オクルージョンエリアを識別するステップをさらに含み、前記少なくとも１つのオクルージョンエリアは、前記少なくとも１つの非オクルージョンエリアと相互に排他的である、請求項１３に記載の装置。
【請求項１５】
前記識別するステップは、
少なくとも奥行きデータに応答して、前記オクルージョンデータに関連付けられている前記ビデオデータフレーム内の１つまたは複数の奥行きの切れ目を検知するステップであって、前記奥行きデータは、前記オクルージョンデータに関連付けられている前記ビデオデータフレーム内に含まれているステップと、
前記１つまたは複数の奥行きの切れ目に沿ったそれぞれのエリアを前記オクルージョンデータ内の非オクルージョンエリアとして分類するステップと、
をさらに含む、請求項１３に記載の装置。
【請求項１６】
前記定義された特徴は、定義された色を含む、請求項１３に記載の装置。
【請求項１７】
前記定義された特徴は、定義された奥行き値を含む、請求項１３に記載の装置。
【請求項１８】
前記オクルージョンデータは、オクルージョンビデオデータおよびオクルージョン奥行きデータのうちの１つを含む、請求項１３に記載の装置。
【請求項１９】
前記エンコーディングするステップは、Ｈ．２６４／ＡＶＣ、ＭＶＣ、およびＭＰＥＧ−２のうちの１つを含むビデオコーディング標準に従って実行される、請求項１３に記載の装置。
【請求項２０】
前記エンコーディングするステップは、Ｈ．２６４／ＡＶＣ、ＭＶＣ、およびＭＰＥＧ−２のうちの１つを含むビデオコーディング標準に従って実行される、請求項１２に記載の装置。
【請求項２１】
前記オクルージョンデータに関して特定された前記フォーマットを表す前記インジケータは、スライスヘッダ、シーケンスパラメータセット、ピクチャーパラメータセット、ビューパラメータセット、ネットワーク抽象化レイヤユニットヘッダ、および付加拡張情報メッセージのうちの少なくとも１つの中に含まれている、請求項１２に記載の装置。
【請求項２２】
前記オクルージョンデータは、オクルージョンビデオデータおよびオクルージョン奥行きデータのうちの１つを含む、請求項１２に記載の装置。
【請求項２３】
ビデオデータフレームのシーケンスにおいてオクルージョンデータを処理するための方法であって、
受信されたオクルージョンデータに関するオリジナルフォーマットを表すインジケータを抽出するステップであって、前記オリジナルフォーマットは、スパースオクルージョンデータフォーマットおよびフィルドオクルージョンデータフォーマットのうちの１つから選択される、前記抽出するステップと、
前記受信されたオクルージョンデータをデコーディングするステップであって、該デコーディングされたオクルージョンデータを作成する、前記デコーディングするステップと、
前記インジケータが、前記オリジナルフォーマットをフィルドオクルージョンデータフォーマットとして示している場合に、前記デコーディングされたオクルージョンデータをスパースオクルージョンデータフォーマットから前記フィルドオクルージョンデータフォーマットへ変換するステップと
を含み、前記変換するステップは、
定義された特徴を用いて表されている非オクルージョンエリアデータを、前記オクルージョンデータに関連付けられている前記ビデオデータフレーム内の２Ｄデータからのそれぞれの併置されるサンプルによって置き換えるステップと、
前記デコーディングされたオクルージョンデータ、および存在する場合には、変換されたデコーディングされたオクルージョンデータを出力するステップと、
をさらに含む、前記方法。
【請求項２４】
前記定義された特徴は、定義された色を含む、請求項１に記載の方法。
【請求項２５】
前記定義された特徴は、定義された奥行き値を含む、請求項１に記載の方法。
【請求項２６】
前記オクルージョンデータは、オクルージョンビデオデータおよびオクルージョン奥行きデータのうちの１つを含む、請求項１に記載の方法。
【請求項２７】
前記デコーディングするステップは、Ｈ．２６４／ＡＶＣ、ＭＶＣ、およびＭＰＥＧ−２のうちの１つを含むビデオコーディング標準に従って実行される、請求項１に記載の方法。
【請求項２８】
ビデオデータフレームのシーケンスにおいてオクルージョンデータを処理するための装置であって、
受信されたオクルージョンデータに関するオリジナルフォーマットを表すインジケータを抽出するステップであって、前記オリジナルフォーマットは、スパースオクルージョンデータフォーマットおよびフィルドオクルージョンデータフォーマットのうちの１つから選択される、前記抽出するステップと、
前記受信されたオクルージョンデータをデコーディングするステップであって、デコーディングされたオクルージョンデータを作成する、前記デコーディングするステップと、
前記インジケータが、前記オリジナルフォーマットをフィルドオクルージョンデータフォーマットとして示している場合に、前記デコーディングされたオクルージョンデータをスパースオクルージョンデータフォーマットから前記フィルドオクルージョンデータフォーマットへ変換するステップと
を行うためのデコーダを含み、前記変換するステップは、
定義された特徴を用いて表されている非オクルージョンエリアデータを、前記オクルージョンデータに関連付けられている前記ビデオデータフレーム内の２Ｄデータからのそれぞれの併置されるサンプルによって置き換えるステップと、
前記デコーディングされたオクルージョンデータ、および存在する場合には、変換されたデコーディングされたオクルージョンデータを出力するステップと、
をさらに含む、前記装置。
【請求項２９】
前記定義された特徴は、定義された色を含む、請求項２８に記載の装置。
【請求項３０】
前記定義された特徴は、定義された奥行き値を含む、請求項２８に記載の装置。
【請求項３１】
前記オクルージョンデータは、オクルージョンビデオデータおよびオクルージョン奥行きデータのうちの１つを含む、請求項２８に記載の装置。
【請求項３２】
前記デコーディングするステップは、Ｈ．２６４／ＡＶＣ、ＭＶＣ、およびＭＰＥＧ−２のうちの１つを含むビデオコーディング標準に従って実行される、請求項２８に記載の装置。
【手続補正２】
【補正対象書類名】明細書
【補正対象項目名】０１２２
【補正方法】変更
【補正の内容】
【０１２２】
複数の実施態様について、本明細書において説明してきた。それでもなお、さまざまな修正を行うことができるということが理解できるであろう。たとえば、別々の実施態様の要素どうしを結合、補完、修正、または除去して、その他の実施態様を作成することができる。加えて、開示されている構造および処理の代わりに、その他の構造および処理を使用することができ、その結果として生じる実施態様は、開示されている実施態様と比較して、少なくとも実質的に同じ（１つまたは複数の）機能を、少なくとも実質的に同じ（１つまたは複数の）方法で実行して、少なくとも実質的に同じ（１つまたは複数の）結果を達成することになるということを当業者なら理解するであろう。特に、本明細書においては、添付の図面を参照して、例示的な実施形態について説明してきたが、本発明の原理は、それらの厳密な実施形態に限定されるものではなく、当業者なら、本発明の原理の範囲または趣旨から逸脱することなく、それらの実施形態においてさまざまな変更および修正を行うことができるということを理解されたい。したがって、これらおよびその他の実施態様は、本出願によって考慮されており、添付の特許請求の範囲の範疇内に収まる。
（付記１）
ビデオデータフレームのシーケンスにおいてオクルージョンデータを処理するための方法であって、
前記オクルージョンデータに関するフォーマットを特定するステップであって、前記フォーマットは、スパースオクルージョンデータフォーマットおよびフィルドオクルージョンデータフォーマットのうちの１つから選択されるステップ（Ｓ６０２）と、
前記オクルージョンデータに関する前記フォーマットが、前記フィルドオクルージョンデータフォーマットであると特定された場合に、エンコーディングの前に前記オクルージョンデータをスパースオクルージョンデータフォーマットへと変換するステップ（Ｓ６０４）と、
前記オクルージョンデータをエンコーディングして、エンコーディングされたオクルージョンデータを作成するステップ（Ｓ６０３）と、
前記エンコーディングされたオクルージョンデータを、前記オクルージョンデータに関して特定された前記フォーマットを表すインジケータとともに出力するステップ（Ｓ６０５）と、
を含むことを特徴とする方法。
（付記２）
前記変換するステップは、
前記オクルージョンデータ内に含まれているそれぞれの非オクルージョンエリア内のそれぞれのサンプルを、定義された特徴を用いて表すステップ（Ｓ６０４）をさらに含むことを特徴とする付記１に記載の方法。
（付記３）
前記変換するステップは、前記表すステップの前に、前記オクルージョンデータに関して少なくとも１つのオクルージョンエリアおよび少なくとも１つの非オクルージョンエリアを識別するステップをさらに含み、前記少なくとも１つのオクルージョンエリアは、前記少なくとも１つの非オクルージョンエリアと相互に排他的であることを特徴とする付記２に記載の方法。
（付記４）
前記識別するステップは、
少なくとも奥行きデータに応答して、前記オクルージョンデータに関連付けられている前記ビデオデータフレーム内の１つまたは複数の奥行きの切れ目を検知するステップであって、前記奥行きデータは、前記オクルージョンデータに関連付けられている前記ビデオデータフレーム内に含まれているステップと、
前記１つまたは複数の奥行きの切れ目に沿ったそれぞれのエリアを前記オクルージョンデータ内の非オクルージョンエリアとして分類するステップと、
をさらに含むことを特徴とする付記２に記載の方法。
（付記５）
前記定義された特徴は、定義された色を含むことを特徴とする付記２に記載の方法。
（付記６）
前記定義された特徴は、定義された奥行き値を含むことを特徴とする付記２に記載の方法。
（付記７）
前記オクルージョンデータは、オクルージョンビデオデータおよびオクルージョン奥行きデータのうちの１つを含むことを特徴とする付記２に記載の方法。
（付記８）
前記エンコーディングするステップは、Ｈ．２６４／ＡＶＣ、ＭＶＣ、およびＭＰＥＧ−２のうちの１つを含むビデオコーディング標準に従って実行されることを特徴とする付記２に記載の方法。
（付記９）
前記エンコーディングするステップは、Ｈ．２６４／ＡＶＣ、ＭＶＣ、およびＭＰＥＧ−２のうちの１つを含むビデオコーディング標準に従って実行されることを特徴とする付記１に記載の方法。
（付記１０）
前記オクルージョンデータに関して特定された前記フォーマットを表す前記インジケータは、スライスヘッダ、シーケンスパラメータセット、ピクチャーパラメータセット、ビューパラメータセット、ネットワーク抽象化レイヤユニットヘッダ、および付加拡張情報メッセージのうちの少なくとも１つの中に含まれていることを特徴とする付記１に記載の方法。
（付記１１）
前記オクルージョンデータは、オクルージョンビデオデータおよびオクルージョン奥行きデータのうちの１つを含むことを特徴とする付記１に記載の方法。
（付記１２）
ビデオデータフレームのシーケンスにおいてオクルージョンデータを処理するための装置であって、
前記オクルージョンデータに関するフォーマットを特定するステップであって、前記フォーマットは、スパースオクルージョンデータフォーマットおよびフィルドオクルージョンデータフォーマットのうちの１つから選択されるステップ（Ｓ６０２）と、
前記オクルージョンデータに関する前記フォーマットが、前記フィルドオクルージョンデータフォーマットであると特定された場合に、エンコーディングの前に前記オクルージョンデータをスパースオクルージョンデータフォーマットへと変換するステップ（Ｓ６０４）と、
前記オクルージョンデータをエンコーディングして、エンコーディングされたオクルージョンデータを作成するステップ（Ｓ６０３）と、
前記エンコーディングされたオクルージョンデータを、前記オクルージョンデータに関して特定された前記フォーマットを表すインジケータとともに出力するステップ（Ｓ６０５）と、
を行うためのエンコーダを含むことを特徴とする装置。
（付記１３）
前記変換するステップは、前記オクルージョンデータ内に含まれているそれぞれの非オクルージョンエリア内のそれぞれのサンプルを、定義された特徴を用いて表すステップ（Ｓ６０４）をさらに含むことを特徴とする付記１２に記載の装置。
（付記１４）
前記変換するステップは、前記表すステップの前に、前記オクルージョンデータに関して少なくとも１つのオクルージョンエリアおよび少なくとも１つの非オクルージョンエリアを識別するステップをさらに含み、前記少なくとも１つのオクルージョンエリアは、前記少なくとも１つの非オクルージョンエリアと相互に排他的であることを特徴とする付記１３に記載の装置。
（付記１５）
前記識別するステップは、
少なくとも奥行きデータに応答して、前記オクルージョンデータに関連付けられている前記ビデオデータフレーム内の１つまたは複数の奥行きの切れ目を検知するステップであって、前記奥行きデータは、前記オクルージョンデータに関連付けられている前記ビデオデータフレーム内に含まれているステップと、
前記１つまたは複数の奥行きの切れ目に沿ったそれぞれのエリアを前記オクルージョンデータ内の非オクルージョンエリアとして分類するステップと、
をさらに含むことを特徴とする付記１３に記載の装置。
（付記１６）
前記定義された特徴は、定義された色を含むことを特徴とする付記１３に記載の装置。
（付記１７）
前記定義された特徴は、定義された奥行き値を含むことを特徴とする付記１３に記載の装置。
（付記１８）
前記オクルージョンデータは、オクルージョンビデオデータおよびオクルージョン奥行きデータのうちの１つを含むことを特徴とする付記１３に記載の装置。
（付記１９）
前記エンコーディングするステップは、Ｈ．２６４／ＡＶＣ、ＭＶＣ、およびＭＰＥＧ−２のうちの１つを含むビデオコーディング標準に従って実行されることを特徴とする付記１３に記載の装置。
（付記２０）
前記エンコーディングするステップは、Ｈ．２６４／ＡＶＣ、ＭＶＣ、およびＭＰＥＧ−２のうちの１つを含むビデオコーディング標準に従って実行されることを特徴とする付記１２に記載の装置。
（付記２１）
前記オクルージョンデータに関して特定された前記フォーマットを表す前記インジケータは、スライスヘッダ、シーケンスパラメータセット、ピクチャーパラメータセット、ビューパラメータセット、ネットワーク抽象化レイヤユニットヘッダ、および付加拡張情報メッセージのうちの少なくとも１つの中に含まれていることを特徴とする付記１２に記載の装置。
（付記２２）
前記オクルージョンデータは、オクルージョンビデオデータおよびオクルージョン奥行きデータのうちの１つを含むことを特徴とする付記１２に記載の装置。
（付記２３）
ビデオデータフレームのシーケンスにおいてオクルージョンデータを処理するための方法であって、
受信されたオクルージョンデータに関するオリジナルフォーマットを表すインジケータを抽出するステップ（Ｓ７０２）であって、前記オリジナルフォーマットは、スパースオクルージョンデータフォーマットおよびフィルドオクルージョンデータフォーマットのうちの１つから選択されるステップと、
前記受信されたオクルージョンデータをデコーディングして、デコーディングされたオクルージョンデータを作成するステップ（Ｓ７０３）と、
前記インジケータが、前記オリジナルフォーマットをフィルドオクルージョンデータフォーマットとして示している場合に、前記デコーディングされたオクルージョンデータをスパースオクルージョンデータフォーマットから前記フィルドオクルージョンデータフォーマットへ変換するステップ（Ｓ７０６）と
を含み、前記変換するステップは、
定義された特徴を用いて表されている非オクルージョンエリアデータを、前記オクルージョンデータに関連付けられている前記ビデオデータフレーム内の２Ｄデータからのそれぞれの併置されるサンプルによって置き換えるステップ（Ｓ７０６）と、
前記デコーディングされたオクルージョンデータ、および存在する場合には、変換されたデコーディングされたオクルージョンデータを出力するステップ（Ｓ７０５）と、
をさらに含むことを特徴とする方法。
（付記２４）
前記定義された特徴は、定義された色を含むことを特徴とする付記１に記載の方法。
（付記２５）
前記定義された特徴は、定義された奥行き値を含むことを特徴とする付記１に記載の方法。
（付記２６）
前記オクルージョンデータは、オクルージョンビデオデータおよびオクルージョン奥行きデータのうちの１つを含むことを特徴とする付記１に記載の方法。
（付記２７）
前記デコーディングするステップは、Ｈ．２６４／ＡＶＣ、ＭＶＣ、およびＭＰＥＧ−２のうちの１つを含むビデオコーディング標準に従って実行されることを特徴とする付記１に記載の方法。
（付記２８）
ビデオデータフレームのシーケンスにおいてオクルージョンデータを処理するための装置であって、
受信されたオクルージョンデータに関するオリジナルフォーマットを表すインジケータを抽出するステップ（Ｓ７０２）であって、前記オリジナルフォーマットは、スパースオクルージョンデータフォーマットおよびフィルドオクルージョンデータフォーマットのうちの１つから選択されるステップと、
前記受信されたオクルージョンデータをデコーディングして、デコーディングされたオクルージョンデータを作成するステップ（Ｓ７０３）と、
前記インジケータが、前記オリジナルフォーマットをフィルドオクルージョンデータフォーマットとして示している場合に、前記デコーディングされたオクルージョンデータをスパースオクルージョンデータフォーマットから前記フィルドオクルージョンデータフォーマットへ変換するステップ（Ｓ７０６）と
を行うためのデコーダを含み、前記変換するステップは、
定義された特徴を用いて表されている非オクルージョンエリアデータを、前記オクルージョンデータに関連付けられている前記ビデオデータフレーム内の２Ｄデータからのそれぞれの併置されるサンプルによって置き換えるステップ（Ｓ７０６）と、
前記デコーディングされたオクルージョンデータ、および存在する場合には、変換されたデコーディングされたオクルージョンデータを出力するステップ（Ｓ７０５）と、
をさらに含むことを特徴とする装置。
（付記２９）
前記定義された特徴は、定義された色を含むことを特徴とする付記２８に記載の装置。
（付記３０）
前記定義された特徴は、定義された奥行き値を含むことを特徴とする付記２８に記載の装置。
（付記３１）
前記オクルージョンデータは、オクルージョンビデオデータおよびオクルージョン奥行きデータのうちの１つを含むことを特徴とする付記２８に記載の装置。
（付記３２）
前記デコーディングするステップは、Ｈ．２６４／ＡＶＣ、ＭＶＣ、およびＭＰＥＧ−２のうちの１つを含むビデオコーディング標準に従って実行されることを特徴とする付記２８に記載の装置。